(57)【要約】【課題】  動画像の記録中に所定条件下にあると判断された時刻の画像又はこれに付随する音声情報に当該再生方法で識別可能な処理を施すこと。【解決手段】  動画像を構成する連続した画像を所定の再生方法で連続的に再生可能な形式で記録する情報処理装置は、動画像の記録中に所定条件下にあるか否かを判定し（ステップＳ７０３）、前記判定により前記所定条件下にあると判断された時刻の画像に前記所定の再生方法で識別可能な処理を施す（ステップＳ７０４）。【選択図】  図７
2006173932.tif 000002
【特許請求の範囲】
【請求項１】
動画像を構成する連続した画像を連続的に記録する情報処理装置であって、
動画像の撮影中に所定条件下にあるか否かを判定する判定部と、
前記判定部により前記所定条件下にあると判断された時刻の画像又は該画像に付随する音声情報に識別可能な記録処理を施す処理部と、
を備えることを特徴とする情報処理装置。
【請求項２】
前記処理部は、前記時刻の画像の前後の画像又は前記時刻の画像に付随する音声情報の前後の音声情報に、前記処理とは異なる記録処理を施すことを特徴とする請求項１に記載の情報処理装置。
【請求項３】
前記処理部は、前記時刻の画像又は前記時刻の画像に付随する音声情報からの時間差に応じて、前記処理の内容を異ならせた処理を施すことを特徴とする請求項２に記載の情報処理装置。
【請求項４】
前記処理部は、前記時刻の画像に処理を施す場合にはマークを合成し、前記音声情報に処理を施す場合には所定の音声情報を合成することを特徴とする請求項１乃至請求項３のいずれか１項に記載の情報処理装置。
【請求項５】
前記処理が施された画像又は音声情報を識別し、前記識別した画像又は音声情報に基いて再生開始位置を決定する決定部を備えることを特徴とする請求項１乃至請求項４のいずれか１項に記載の情報処理装置。
【請求項６】
動画像を構成する連続した画像を連続的に記録する情報処理装置の制御方法であって、
動画像の撮影中に所定条件下にあるか否かを判定する判定工程と、
前記判定工程で前記所定条件下にあると判断された時刻の画像又は該画像に付随する音声情報に識別可能な記録処理を施す処理工程と、
を含むことを特徴とする情報処理装置の制御方法。
【請求項７】
前記処理工程では、前記時刻の画像の前後の画像又は前記時刻の画像に付随する音声情報の前後の音声情報に、前記処理とは異なる処理を施すことを特徴とする請求項６に記載の情報処理装置の制御方法。
【請求項８】
前記処理工程では、前記時刻の画像又は前記時刻の画像に付随する音声情報からの時間差に応じて、前記処理の内容を異ならせた処理を施すことを特徴とする請求項７に記載の情報処理装置の制御方法。
【請求項９】
前記処理工程では、前記時刻の画像に処理を施す場合にはマークし、前記音声情報に処理を施す場合には所定の音声情報を合成することを特徴とする請求項６乃至請求項８のいずれか１項に記載の情報処理装置の制御方法。
【請求項１０】
前記処理が施された画像又は音声情報を識別し、前記識別した画像又は音声情報に基いて再生開始位置を決定する決定工程を含むことを特徴とする請求項６乃至請求項９のいずれか１項に記載の情報処理装置の制御方法。
【請求項１１】
請求項６乃至１０のいずれか１項に記載の情報処理装置の制御方法を実行することを特徴とするプログラム。
【請求項１２】
請求項６乃至１０のいずれか１項に記載の情報処理装置の制御方法を実行するプログラムを記憶していることを特徴とする記憶媒体。
【発明の詳細な説明】
【技術分野】
【０００１】
本発明は、動画像を構成する連続した画像又は動画像を構成する連続した画像及びこれに付随する音声情報を、所定の再生方法で連続的に再生可能な形式で記録する情報処理装置及びその制御方法、プログラム並びに記憶媒体に関する。
【背景技術】
【０００２】
従来、オシロスコープ、ロジックアナライザ等の計測装置では、センサなどの検知や画像信号に基づく動き検知などのトリガ発生前後の情報を記録し、再生時にトリガ発生時刻に得られた情報を他の時刻に得られた情報と識別可能であった。しかし、これらの計測装置では、記録形式自体が装置固有のものであり、再生も装置自身で行われることが前提となっている。従って、情報に汎用性がなく、他の装置で情報が使用されることは考慮されていない。また、ＴＶ用録画装置の応用形態である防犯用録画装置では、異常検出時刻を記録して、再生時に表示可能であるものが提案されている。しかしながら、異常検出時刻における画像情報及び音声情報とともに異常検出情報を多重化する技術を用いるため、記録データの汎用性が犠牲となっている。
【特許文献１】特開平７−１６８９９１号公報
【発明の開示】
【発明が解決しようとする課題】
【０００３】
図１は、動作時には一定間隔で画像を一時記録しておき、あるトリガが発生した場合に、その時刻を含めた前後の画像を本記録する従来の画像記録方法を示す図である。このように一時記録を行うことによって、センサからの検出処理等によりトリガが発生する数秒前から一定間隔の動画像をファイル化することができる。
【０００４】
しかし、従来の方法では、記録データの汎用性を重視するため、ヘッダ部等の識別情報エリアにトリガ発生を示す記述を加えないか、或いは、識別情報エリアにトリガ発生を示す記述を追加して装置固有の記録形式でトリガ発生時刻のフレームを識別していた。そのため、画像データの汎用性とトリガ発生時刻のフレームの識別とを同時に満足することはできなかった。
【０００５】
本発明は、上記の問題点に鑑みてなされたものであり、動画像の記録中に所定条件下にあると判断された時刻の画像又はこれに付随する音声情報に当該再生方法で識別可能な処理を施すことを目的とする。
【課題を解決するための手段】
【０００６】
本発明の第１の側面は、動画像を構成する連続した画像を連続的に記録する情報処理装置に係り、動画像の撮影中に所定条件下にあるか否かを判定する判定部と、前記判定部により前記所定条件下にあると判断された時刻の画像又は該画像に付随する音声情報に識別可能な記録処理を施す処理部と、を備えることを特徴とする。
【０００７】
本発明の第２の側面は、動画像を構成する連続した画像を連続的に記録する情報処理装置の制御方法に係り、動画像の撮影中に所定条件下にあるか否かを判定する判定工程と、前記判定工程で前記所定条件下にあると判断された時刻の画像又は該画像に付随する音声情報に識別可能な記録処理を施す処理工程と、を含むことを特徴とする。
【０００８】
本発明の第３の側面は、プログラムに係り、上記の情報処理装置の制御方法を実行することを特徴とする。
【０００９】
本発明の第４の側面は、記憶媒体に係り、上記の記憶媒体を実行するプログラムを記憶していることを特徴とする。
【発明の効果】
【００１０】
本発明によれば、動画像の記録中に所定条件下にあると判断された時刻の画像又はこれに付随する音声情報に当該再生方法で識別可能な処理を施すことができる。
【発明を実施するための最良の形態】
【００１１】
図６は、本発明の好適な実施の形態に係る情報処理装置６００の一構成例を示すブロック図である。
【００１２】
画像入力部６０１は、静止画像と動画像の一方もしくは両方又はこれらの画像及びこれに付随する音声情報を入力可能なカメラである。
【００１３】
入力部６０２は、ユーザが指示を行ったり、データ等を入力したりするための入力装置等を備える。入力部６０２は、例えば、キーボードやポインティング装置等を含む。なお、ポインティング装置としては、例えば、マウス、トラックボール、トラックパッド、タブレット等が挙げられる。本実施形態を、例えば、公知のデジタルカメラ装置に適用する場合には、ボタンやモードダイヤル等を備えてもよい。
【００１４】
データ入出力部６０３は、画像又は画像及びこれに付随する音声情報等を入出力する装置であり、通常は、ハードディスク、ＣＤ-ＲＯＭやＣＤ-Ｒ、メモリーカード、ＣＦカード、スマートメディア、ＳＤカード、メモリスティック等の記憶媒体を備える。データ入出力部６０３は、無線通信モジュールなどの通信路制御装置を備えてもよい。また、データ入出力部６０３を介して、情報処理装置の外部からプログラムやその他のデータを入力することも可能である。
【００１５】
表示部６０４は、ＧＵＩ等の画像を表示する装置であり、一般的にはＣＲＴや液晶ディスプレイ等を備える。また、表示部６０４は、公知のカメラ装置のファインダーを備えてもよい。
【００１６】
制御部６０５は、各命令を実行するための中央処理装置であり、例えば、上述した各構成要素で行われる処理の全てに関わる。ＲＯＭ６０６とＲＡＭ６０７はメモリであり、前述の処理に必要なプログラム、データ、及び作業領域などを制御部６０５に提供する。また、図７及び図８のフローチャートで示される処理に必要な制御プログラムは、データ入出力部６０３に格納されているか、あるいは、ＲＯＭ６０６に格納されている場合は、一旦ＲＡＭ６０７に読み込まれてから実行される。なお、本発明は上記のシステム構成に制限されるものではない。本発明は上記の構成以外にも様々な構成を適用することができる。
【００１７】
判定部６０８は、カメラの撮影中に所定条件下にあるか否かを判定する。所定条件とは、画像入力部６０１からのセンサ入力や入力した画像信号に基づく動きの検出処理又は音声の検出処理或いは入力部６０からのユーザ操作等によってトリガが発生する場合をいう。処理部６０９は、判定部６０８により上記所定条件下にあると判断された時刻の画像又はこれに付随する音声情報に所定の再生方法で識別可能な処理を施す。決定部６１０は、処理部６０９による処理が施された画像又は音声情報を識別し、その識別した画像又は音声情報に基いて動画像の再生開始位置を決定する。
（第１の実施の形態）
図２に情報処理装置６００に適用される本発明の好適な第１の実施の形態に係る画像記録方法を示す。
【００１８】
本実施形態に係る画像記録方法は、動作時にはカメラによって撮影された画像を一定間隔で一時記録しておき、画像入力部６０１におけるセンサ入力や画像比較による物体の動きの検出処理或いは入力部６０２におけるユーザの操作等によって、トリガが発生すると、その時刻を含めた前後の画像を本記録する。その際、トリガ発生時刻の画像に対して画像信号処理を実施することによって、トリガ発生時刻に記録した部分と他の部分とが識別可能になる。また、トリガ時刻の前後の画像を記録することによって、プレイバック時刻の前後を再生開始位置にすることもできる。
【００１９】
図３は、図２の画像記録方法における画像信号処理を示す図である。
【００２０】
本実施の形態の画像信号処理では、画像の所定位置に円形のマーカを合成する。不図示のセンサなどの検知や画像信号に基づく動き検知などのトリガが発生すると、トリガ時刻（時刻Ｔ＝０）に対応する画像に輝度値０（黒色）のマーカを合成する。次いで、Ｔ＝−１に対応する画像（１つ前のフレーム）に輝度値６４のマーカを合成し、さらにＴ＝−２に対応する画像（２つ前のフレーム）には輝度値１２８のマーカを合成する。さらにＴ＝＋１に対応する画像（１つ後のフレーム）に輝度値６４のマーカを合成し、さらにＴ＝＋２に対応する画像（２つ後のフレーム）に輝度値１２８のマーカを合成する。
【００２１】
なお、本実施形態では、例として、円形のマーカを合成したがこれに特段限定されず、任意の形状のマーカを用いてもよい。また、本実施形態では、マーカの輝度値を段階的に変化させているがこれに特段限定されず、トリガ時刻発生時の画像が特定できれば如何ように変形して構わない。また、必ずしもトリガ時刻発生時の画像の周辺のフレームにマーカを合成する必要はなく、トリガ時刻発生時の画像にのみマーカを合成してもよい。また、トリガ時刻発生時の画像の周辺の何枚のフレームにマーカを合成するかは任意に設定することができる。
【００２２】
図７は、本発明の好適な第１の実施形態に係る画像記録方法のフローチャートである。  ステップＳ７０１は、画像入力部６０１から画像を入力するための画像入力ステップである。制御部６０５は、ＲＯＭ６０６とＲＡＭ６０７に格納された、本処理に必要な制御プログラム、データ、及び作業領域を用いて、以下の処理を行う。
【００２３】
ステップＳ７０２では、制御部６０５は、画像入力部６０１から入力された画像をデータ入出力部６０３の記憶媒体に記憶する。
【００２４】
ステップＳ７０３では、判定部６０８は、データ入出力部６０３の記憶媒体に画像が記録されている間にトリガが発生したか否かを判断する。制御部６０５は、例えば、画像入力部６０１から入力された画像の変化（例えば、輝度値等）又は入力部６０２からユーザによるトリガを指示する命令があったか否かを判断する。トリガが発生していれば（ステップＳ７０３で「ＹＥＳ」）、ステップＳ７０４に進み、トリガが発生していなければ（ステップＳ７０３で「ＮＯ」）、ステップＳ７０２に戻り、引き続き画像の記録を行う。
【００２５】
ステップＳ７０４では、処理部６０９は、例えば図３に示すように、トリガが発生した時刻に対応する画像に所定のマーカを合成する。すなわち、トリガ時刻（時刻Ｔ＝０）に対応する画像に輝度値０のマーカを合成し、Ｔ＝−１に対応する画像に輝度値６４のマーカを合成し、Ｔ＝−２に対応する画像に輝度値１２８のマーカを合成し、Ｔ＝＋１に対応する画像に輝度値６４のマーカを合成し、Ｔ＝＋２に対応する画像に輝度値１２８のマーカを合成する。上述したように、マーカの合成方法は、これに限定されず適宜変更することができる。
【００２６】
ステップＳ７０５では、制御部６０５は、終了判定の処理を行う。すなわち、制御部６０５は、画像入力部６０１から入力される画像がなければ（ステップＳ７０５で「ＹＥＳ」）、「終了」と判定して本処理を終了する。画像入力部６０１から入力される画像があれば（ステップＳ７０５で「ＮＯ」）、制御部６０５は、ステップＳ７０５での判定を「偽」とし、ステップＳ７０２の画像記録処理へ戻る。
【００２７】
図８は、本発明の好適な第１の実施形態に係る画像再生方法のフローチャートである。  ステップＳ８０１は、画像を読み出すための画像入力ステップである。制御部６０５は、図７に示す画像記録方法によって記憶された画像をデータ入出力部６０３から読み出す。
【００２８】
ステップＳ８０２では、決定部６１０は、データ入出力部６０３から読み出した画像のうち、図７のステップＳ７０４で処理が施された画像を識別し、識別した画像に基いて動画像の再生開始位置を決定する。図７のステップＳ７０４でトリガ時刻の前後の画像を記録した場合には、トリガ時刻の前後の画像のいずれかを再生開始位置に決定することができる。
【００２９】
ステップＳ８０３では、制御部６０５は、データ入出力部６０３の記憶媒体等に格納された制御プログラムに従って、ステップＳ８０２で決定された動画像の再生開始位置から画像の再生を開始させて、表示部６０４に表示させる。
【００３０】
ステップＳ８０４では、制御部６０５は、終了判定の処理を行う。すなわち、制御部６０５は、再生すべき画像がなくなれば（ステップＳ７０５で「ＹＥＳ」）、「終了」と判定して本再生処理を終了する。制御部６０５は、再生すべき画像がある場合には（ステップＳ７０５で「ＮＯ」）、ステップＳ７０５での判定を「偽」とし、ステップＳ７０２の画像再生処理へ戻る。
【００３１】
以上説明したように、本実施形態によれば、ある時間内のある時刻に得られた画像と他の時刻に得られた画像とを再生時に識別可能であり、かつ、汎用性を犠牲にしない記録方法を提供することができる。
（第２の実施の形態）
図４に情報処理装置６００に適用される本発明の好適な第２の実施の形態における画像記録方法を示す。
【００３２】
本実施形態に係る画像記録方法は、動作時には一定間隔で画像及びこれに付随する音声情報を一時記録しておき、画像入力部６０１におけるセンサ入力や画像又は音声比較による検出処理或いは入力部６０におけるユーザの操作によって、トリガが発生すると、その時刻を含めた前後の画像及びこれに付随する音声情報を本記録する。その際、トリガ発生時刻の画像に付随する音声情報に音声信号処理を実施することによって、トリガ発生時刻に記録した部分と他の部分とを識別可能になる。
【００３３】
図５は、本実施の形態の音声信号処理を示す図である。
【００３４】
本実施の形態の音声信号処理では、画像に付随する音声情報に警告音情報を合成する。トリガが発生するとトリガ時刻（時刻Ｔ＝０）に対応する音声情報に、例えば、ボリューム値最大の警告音情報を合成する。次いで、Ｔ＝−１に対応する音声情報（１つ前のフレームに付随）にボリューム値７５％の警告音情報を合成し、さらにＴ＝−２に対応する音声情報（２つ前のフレームに付随）にはボリューム値５０％の警告音情報を合成する。さらにＴ＝＋１に対応する音声情報（１つ後のフレームに付随）にボリューム値７５％の警告音情報を合成し、さらにＴ＝＋２に対応する音声情報（２つ後のフレームに付随）にボリューム値５０％の警告音を合成する。
【００３５】
なお、本実施形態では、例として、画像に付随する音声情報に警告音情報を合成したがこれに特段限定されず、他の音声情報を合成してもよい。また、本実施形態では、警告音情報のボリューム値を段階的に変化させているがこれに特段限定されず、トリガ時刻発生時の画像が特定できれば如何ように変形して構わない。また、必ずしもトリガ時刻発生時の画像の周辺のフレームに付随する音声情報を合成する必要はなく、トリガ時刻発生時の画像に付随する音声情報にのみ警告音情報を合成してもよい。また、トリガ時刻発生時の画像の周辺の何枚のフレームに警告音情報を合成するかは任意に設定することができる。
【００３６】
また、本発明の好適な第２の実施形態に係る画像記録処理は、図７に示すフローチャートと同様して実施することができる。例えば、図７のステップＳ７０４において画像に所定のマーカを合成する処理を、上記のように画像に付随する音声情報に警告音情報を合成する処理に置き換えればよい。また、本発明の好適な第２の実施形態に係る画像再生処理は、図８に示すフローチャートと同様して実施することができ、例えば、図８のステップＳ８０２において図７のステップＳ７０４で警告音情報が合成された音声情報を識別し、識別した音声情報に基いて動画像の再生開始位置を決定すればよい。その他のステップについても、同様にして適宜変更することができる。
【００３７】
以上説明したように、本実施形態によれば、ある時間内のある時刻に得られた画像に付随する音声情報と他の時刻に得られた画像に付随する音声情報とを再生時に識別可能であり、かつ、汎用性を犠牲にしない記録方法を提供することができる。
【図面の簡単な説明】
【００３８】
【図１】従来の画像記録方法を示す図である。
【図２】本発明の好適な第１の実施形態に係る画像記録方法を示す図である。
【図３】本発明の好適な第１の実施形態に係る画像信号処理を示す図である。
【図４】本発明の好適な第２の実施形態に係る画像記録方法を示す図である。
【図５】本発明の好適な第２の実施形態に係る音声信号処理を示す図である。
【図６】本発明の好適な実施の形態に係る情報処理装置の一構成例を示すブロック図である。
【図７】本発明の好適な実施形態に係る画像記録方法のフローチャートを示す図である。
【図８】本発明の好適な実施形態に係る画像再生方法のフローチャートを示す図である。
【図１】
2006173932.tif 000003
【図２】
2006173932.tif 000004
【図３】
2006173932.tif 000005
【図４】
2006173932.tif 000006
【図５】
2006173932.tif 000007
【図６】
2006173932.tif 000008
【図７】
2006173932.tif 000009
【図８】
2006173932.tif 000010